(57)【要約】【課題】使用中の安定性及び使い心地が良好であり、優れた勃起維持作用を有する男性用挿着具を提供する。【解決手段】男性用挿着具１０は、勃起時のペニスが挿入可能な先端開口部１１と、先端開口部１１からスカート状に拡径する本体部１２と、本体部１２の拡径側に設けられた基端開口部１３と、を備えている。本体部１２は皮膚を損傷することのない柔軟な合成発泡ポリウレタンで形成されている。また、男性用挿着具１０においては、先端開口部１１の中心１１ａと、基端開口部１３の中心１３ａと、が正面から見て上下方向に偏心した状態で形成されており、本体部１２の下縁部１２ｂが、上縁部１２ａより長く垂下した形状をなしている。【選択図】図１
2017060645.tif 000002
【特許請求の範囲】
【請求項１】
勃起時のペニスが挿入可能な先端開口部と、前記先端開口部からスカート状に拡径する本体部と、前記本体部の拡径側に設けられた基端開口部と、を備え、少なくとも前記本体部の内周側が柔軟な天然樹脂材または合成樹脂材で形成された男性用挿着具。
【請求項２】
前記先端開口部の中心と、前記基端開口部の中心と、が偏心している請求項１記載の男性用挿着具。
【請求項３】
前記本体部が、両端が開口したスカート状の筒状体と、前記筒状体の内周側に付設された柔軟な内周部材と、を備えた請求項１または２に記載の男性用挿着具。
【請求項４】
前記内周部材が前記筒状体に着脱可能である請求項３記載の男性用挿着具。
【請求項５】
前記本体部が、気密性を有する空洞部を内蔵した中空形状である請求項１記載の男性用挿着具。
【請求項６】
前記本体部が、前記空洞部内と連通する注入孔を備えた請求項５記載の男性用挿着具。
【発明の詳細な説明】
【技術分野】
【０００１】
本発明は、男性がペニスの勃起状態を維持するために使用する挿着具に関する。
【背景技術】
【０００２】
男性のペニスを勃起状態に維持する器具については、従来、様々なアイディアが公開されているが、本発明に関連するものとして、例えば、特許文献１記載の「補助リング」や特許文献２記載の「陰茎の勃起補助リング」などがある。
【０００３】
特許文献１に記載された「補助リング」は、陰茎の勃起を補助するリングであって、酸化せず、錆びずに変形しにくい材質で製造したリング体の中央に２６〜３０ｍｍの内穴を有し、リング体の外部の周縁に３０度の内向きの傾き角度が形成され、前側リング外径を後側リング外径より小さくすることで、リング体の外周に円錐面が形成されている。
【０００４】
特許文献２に記載された「陰茎の勃起補助リング」は、陰茎の根元に押し拡げた状態で挿入するための通口を持つリング本体が、シリコンゴム材で扁平な円環状に成形されたものであり、通口に臨むリング本体の開口内周縁に、陰茎の尿道の外側に添うＵ字状の凹みが切り欠き形成されている。
【先行技術文献】
【特許文献】
【０００５】
【特許文献１】実用新案登録第３０７６３３７号公報
【特許文献２】実用新案登録第３１１７７４７号公報
【発明の概要】
【発明が解決しようとする課題】
【０００６】
特許文献１記載の「補助リング」及び特許文献２記載の「陰茎の勃起補助リング」は、いずれも陰茎（以下、「ペニス」と記す。）の根元を締め付けて、ペニスを勃起状態に維持する器具であるが、ペニスを締め付ける部分の形状がリング形状であり、ペニスとの接触面積が狭いため、挿着後の安定感に欠ける面がある。
また、特許文献１，２記載のリングは、血液の流れを阻止する作用が強過ぎて、違和感や不快感が生じたり、血行不良による弊害が生じたりすることがある。また、ペニスに向かう血液の流れが阻止されることで、勃起維持作用が低下する可能性がある。
【０００７】
そこで、本発明が解決しようとする課題は、使用中の安定性及び使い心地が良好であり、優れた勃起維持作用を有する男性用挿着具を提供することにある。
【課題を解決するための手段】
【０００８】
本発明の男性用挿着具は、勃起時のペニスが挿入可能な先端開口部と、前記先端開口部からスカート状に拡径する本体部と、前記本体部の拡径側に設けられた基端開口部と、を備え、少なくとも前記本体部の内周側が柔軟な天然樹脂材または合成樹脂材で形成されたことを特徴とする。
【０００９】
ここで、前記先端開口部の中心と、前記基端開口部の中心と、が偏心していることが望ましい。
【００１０】
また、前記本体部が、両端が開口したスカート状の筒状体と、前記筒状体の内周側に付設された柔軟な内周部材と、を備えたものとすることができる。
【００１１】
前述の場合、前記内周部材が前記筒状体に着脱可能な構造とすることもできる。
【００１２】
一方、前記本体部を、気密性を有する空洞部を内蔵した中空形状とすることもできる。
【００１３】
前述の場合、前記本体部が、前記空洞部内と連通する注入孔を備えた構造とすることもできる。
【発明の効果】
【００１４】
本発明により、使用中の安定性及び使い心地が良好であり、優れた勃起維持作用を有する男性用挿着具を提供することができる。
【図面の簡単な説明】
【００１５】
【図１】本発明の実施形態である男性用挿着具を示す正面図である。
【図２】図１中のＡ−Ａ線における断面図である。
【図３】図１中のＢ−Ｂ線における断面図である。
【図４】図１に示す男性用挿着具の使用状態を示す垂直断面図である。
【図５】本発明のその他の実施形態である男性用挿着具を示す正面図である。
【図６】図５中のＣ−Ｃ線における断面図である。
【図７】本発明のその他の実施形態である男性用挿着具を示す正面図である。
【図８】図７中のＤ−Ｄ線における断面図である。
【図９】本発明のその他の実施形態である男性用挿着具を示す図である。
【図１０】本発明のその他の実施形態である男性用挿着具を示す正面図である。
【図１１】（ａ）は図１０中のＥ−Ｅ線における断面図であり、（ｂ）は（ａ）に示す男性用挿着具を表裏反転させた後の状態を示す断面図である。
【図１２】本発明のその他の実施形態である男性用挿着具を示す正面図である。
【図１３】図１２中のＦ−Ｆ線における断面図である。
【図１４】本発明のその他の実施形態である男性用挿着具を示す部分断面図である。
【発明を実施するための形態】
【００１６】
以下、図１〜図１４に基づいて本発明の実施形態である男性用挿着具１０，２０，３０，４０，５０，６０について説明する。
【００１７】
図１〜図３に示す男性用挿着具１０は、図４に示すように勃起時のペニスＰが挿入可能な先端開口部１１と、先端開口部１１からスカート状に拡径する本体部１２と、本体部１２の拡径側に設けられた基端開口部１３と、を備えている。本体部１２は皮膚を損傷することのない柔軟な発泡ポリウレタンで形成されている。また、図１，図３に示すように、男性用挿着具１０においては、基端開口部１３の中心１３ａが、先端開口部１１の中心１１ａよりも下方へ偏心した状態で形成されている。このため、図１に示す正面視状態において、本体部１２の下部１２ｂが、上部１２ａよりも長く下方へ垂下した形状をなしている。本体部１２の材質は限定しないので、その他の柔軟な天然樹脂材または合成樹脂材で形成することもできる。
【００１８】
図２，図３に示すように、本体部１２の横断面は、先端開口部１１から基端開口部１３に向かって開いた略ハ字形状をなしている。先端開口部１１及び基端開口部１３の周縁部１１ｂ，１３ｂは滑らかな凸曲面をなしている。本体部１２の内周面１２ｃは円錐の側面のように、先端開口部１１から基端開口部１３に向かって連続的に拡径した面形状をなしている。
【００１９】
ここで、図４に基づいて、男性用挿着具１０の使用方法について説明する。図４に示すように、男性用挿着具１０は、その先端開口部１１をペニスＰの先端側に向け、基端開口部１３を身体Ｍに向けた姿勢にして、勃起状態にあるペニスＰの根元部分に内周面１２ｃを密着させた状態で挿着する。このとき、本体部１２の上部１２ａが恥骨Ｓの正面側に位置し、下部１２ｂが陰嚢Ｔの正面側に位置するように挿着する。
【００２０】
男性用挿着具１０を図４に示すように挿着すると、勃起中のペニスＰの根元部分の海綿体及び血管が適度に締め付けられ、ペニスＰに流入した血液の逆流が抑制されるので、ペニスＰは勃起状態に維持され、優れた勃起維持作用を有する。
【００２１】
男性用挿着具１０の本体部１２の内周面１２ｃはペニスＰの根元部分を面接触状態で包囲し、適度の圧迫力を加えるので、違和感がなく、使用中の安定性及び使い心地が良好であり、性行為を阻害することもない。また、本体部１２の先端開口部１１の周縁部１１ｂ及び基端開口部１３の周縁部１３ｂは滑らかな凸曲面をなしているので、皮膚への刺激も少なく、無用な狭隘感を与えることもない。
【００２２】
さらに、男性用挿着具１０をペニスＰに挿着すると、本体部１２が、ペニスＰの包皮を捲り、ペニスＰの根元方向に引っ張ることにより、ペニスＰの勃起力が高められ、本体部１２の上部１２ａの奥に閉じ込められた包皮や余肉が恥骨Ｓで受け止められ、この包皮や余肉によって生じる反発力で支持力が高められる。一方、本体部１２の下部１２ｂは、陰嚢Ｔ付近を押圧するが、このとき陰嚢Ｔ付近から受ける反発力により下部１２ｂが下支えされ、固められたような状態となる。よって、男性用挿着具１０は、ペニスＰに対するソフトな支持機能を発揮し、ペニスＰ及びその近傍に負担を与えることもない。
【００２３】
次に、図５，図６に示す男性用挿着具２０は、図４に示す男性用挿着具１０と同様、勃起時のペニスＰ（図示せず）が挿入可能な先端開口部２１と、先端開口部２１からスカート状に拡径する本体部２２と、本体部２２の拡径側に設けられた基端開口部２３と、を備えている。本体部２２は皮膚を損傷することのない柔軟な天然ゴムで形成されている。また、図５に示すように、男性用挿着具２０においては、先端開口部２１の中心２１ａよりも、基端開口部２３の中心２３ａが、下方へ偏心した状態で形成されている。このため、図５に示す正面視状態において、本体部２２の下部２２ｂが、上部２２ａより長く下方へ垂下した形状をなしている。本体部２２の材質は限定しないので、天然ゴム以外の柔軟な天然樹脂材または合成樹脂材で形成することもできる。
【００２４】
図６に示すように、本体部２２の横断面は、先端開口部２１から基端開口部２３に向かって開いた略ハ字形状をなしている。先端開口部２１の周縁部２１ｂは徳利口のように外側に拡径しながら下方へ捲れた形状をなしている。基端開口部２３の周縁部２３ｂは滑らかな凸曲面をなしている。本体部２２の内周面２２ｃは円錐の側面のように、先端開口部２１から基端開口部２３に向かって連続的に拡径した面形状をなしている。
【００２５】
図５，図６に示す男性用挿着具２０は、図１〜図３に示す男性用挿着具１０と同様、使用中の安定性及び使い心地が良好であり、優れた勃起維持作用を有している。また、男性用挿着具２０の本体部２２は天然ゴムで形成されているため、皮膚への刺激が少なく、合成樹脂アレルギの人に好適である。
【００２６】
次に、図７，図８に示す男性用挿着具３０は、図４に示す男性用挿着具１０と同様、勃起時のペニスＰ（図示せず）が挿入可能な先端開口部３１と、先端開口部３１からスカート状に拡径する本体部３２と、本体部３２の拡径側に設けられた基端開口部３３と、を備えている。本体部３２は、両端が開口したスカート状の筒状体３２ｘと、筒状体３２ｘの内周側に付設された柔軟な内周部材３２ｙと、を備えている。筒状体３２ｘは硬質ゴムで形成され、内周部材３２ｙは柔軟な発泡ポリウレタンで形成されている。
【００２７】
図７に示すように、本体部３２の正面視形状は円形であり、図８に示すように、内周部材３２ｙの周縁部３２ｙａは、筒状体３２ｘの周縁部３２ｘａより先端側（本体部３２の中心線３２ａと平行な矢線Ｑ方向）に突出した状態に形成されている。
【００２８】
図７，図８に示す男性用挿着具３０は、図１〜図３に示す男性用挿着具１０と同様、使用中の安定性及び使い心地が良好であり、優れた勃起維持作用を有している。また、男性用挿着具３０の本体部３２は硬質ゴム製の筒状体３２ｘと、柔軟な発泡ポリウレタン製の内周部材３２ｙと、で形成されているため、ソフトな感触を備えながら、適度の圧迫感を与えることができる。
【００２９】
図９に示すように、男性用挿着具３０においては、本体部３２を構成する内周部材３２ｙが筒状体３２ｘに対して着脱可能である。図９に示すように、筒状体３２ｘに取り付ける前の内周部材３２ｙはドーナツ円板形状であるため、筒状体３２ｘの拡径側の開口部３２ｘｂ付近に内周部材３２ｙを略同軸上に配置し、開口部３２ｘｂから周縁部３２ｘａに向かって内周部材３２ｙの周縁部３２ｙａを押し込めば、筒状体３２ｘの内周側に内周部材３２ｙが嵌め込まれる。
【００３０】
筒状体３２ｘの内周側に嵌め込まれた内周部材３２ｙはその弾性復元力により拡径方向の付勢力を生じるので、内周部材３２ｙは筒状体３２ｘの内周面に密着状態で保持され、使用中に離脱することもない。男性用挿着具３０においては、内周部材３２ｙが筒状体３２ｘに対して着脱可能であるため、サイズの異なる複数の内周部材３２ｙを用意しておけば、ペニスのサイズの大小にも容易に対応可能である。また、男性用挿着具３０は、内周部材３２ｙのみを取り替えて筒状体３２ｘを反復使用することもできる。
【００３１】
次に、図１０，図１１に示す男性用挿着具４０は、図４に示す男性用挿着具１０と同様、勃起時のペニスＰ（図示せず）が挿入可能な先端開口部４１と、先端開口部４１からスカート状に拡径する本体部４２と、本体部４２の拡径側に設けられた基端開口部４３と、を備えている。本体部３２は柔軟な天然ゴムで形成され、図１１（ａ）に示すように、底無しの猪口形状をしている。
【００３２】
男性用挿着具４０は、図１１（ａ）に示すような断面形状をしているが、使用前の状態において、図１１（ａ）中に示すように、本体部４２に対して矢線Ｒ１方向の力を加え、図１１（ｂ）に示すように表裏逆の状態にすることができる。また、図１１（ａ）の状態における先端開口部４１の内径４１ａより、図１１（ｂ）の状態における先端開口部４１の内径４１ｂが小となるように構成されている。さらに、図１１（ｂ）の状態の本体部４２に対して矢線Ｒ２方向の力を加えると、図１１（ａ）の状態に戻すことができる。なお、図１１（ａ），（ｂ）のいずれの状態であっても、使用する場合は、基端開口部４３がペニスの根元に位置し、先端開口部４１がペニスの先端側を向くように挿着する。
【００３３】
従って、使用者のペニスのサイズに応じて、図１１（ａ），（ｂ）のいずれかの状態にセットすることにより、一つの男性用挿着具４０によって適切に対応することができ、利便性に優れている。その他の機能、作用効果については、図１に示す男性用挿着具１０と同様である。
【００３４】
次に、図１２，図１３に示す男性用挿着具５０は、図４に示す男性用挿着具１０と同様、勃起時のペニスＰ（図示せず）が挿入可能な先端開口部５１と、先端開口部５１からスカート状に拡径する本体部５２と、本体部５２の拡径側に設けられた基端開口部５３と、を備えている。本体部５２は柔軟な天然ゴムで形成され、図１３に示すように、本体部５２は、気密性を有する空洞部５２ａを内蔵した中空形状をなしている。
【００３５】
男性用挿着具５０の使用方法及び作用効果などは、図１に示す男性用挿着具１０と同様であるが、男性用挿着具５０の本体部５２が空洞部５２ａを内蔵していることにより、本体部５２自体が膨縮性に富んでいるため、柔軟な感触を発揮し、優れた使い心地を発揮する。なお、本体部５２の材質は天然ゴムに限定しないので、同様の性質を有する合成ゴムやその他の合成樹脂材などで形成することもできる。
【００３６】
次に、図１４に示す男性用挿着具６０は、図１２，図１３に示す男性用挿着具５０と同形状の本体部６２を有し、柔軟な天然ゴムで形成された本体部６２が気密性を有する空洞部６２ａを有している。また、本体部６２の先端開口部６１の内周面６２ｃ寄りの部分に、空洞部６２ａ内と連通する複数の注入孔６４が形成されている。
【００３７】
男性用挿着具６０の使用方法及び作用効果などは、図１２，１３に示す男性用挿着具５０と同様であるが、男性用挿着具６０の場合、本体部６２の空洞部６２ａと連通する注入孔６４を有しているため、使用前に、注入孔６４を経由して空洞部６２ａ内へ潤滑剤を注入しておき、使用中に徐々に注入孔６４から潤滑剤を漏出させるような使い方をすることができる。
【００３８】
また、注入孔６４に封止機能を設けておき、使用前に注入孔６４から空洞部６２ａ内へ水などの液体を充填した後、注入孔６４が自動的に封止されるようにしておけば、空洞部６２ａ内に密封された水などの液体の流動感や液圧反発力による微妙な感触を生じさせることもできる。
【００３９】
なお、図１〜図１４に基づいて説明した男性用挿着具１０，２０，３０，４０，５０，６０はいずれも本発明を例示するものであり、本発明の男性用挿着具は前述した男性用挿着具１０，２０，３０，４０，５０，６０に限定されない。また、男性用挿着具１０，２０，３０，４０，５０，６０の使用方法についても前述した実施形態に限定されない。
【産業上の利用可能性】
【００４０】
本発明に係る男性用挿着具は工業製品の製造工程を利用して大量生産が可能であり、勃起不全に悩む男性が広く利用することができる。
【符号の説明】
【００４１】
１０，２０，３０，４０，５０，６０  男性用挿着具
１１，２１，３１，４１，５１，６１  先端開口部
１１ａ，１３ａ  中心
１１ｂ，１３ｂ，２１ｂ，２３ｂ，３２ｘａ，３２ｙａ  周縁部
１２ａ，２２ａ  上部
１２ｂ，２２ｂ  下部
１２ｃ，２２ｃ，６２ｃ  内周面
１２，２２，３２，４２，５２，６２  本体部
１３，２３，３３，４３，５３  基端開口部
３２ａ  中心線
３２ｘ  筒状体
３２ｘｂ  開口部
３２ｙ  内周部材
４１ａ，４１ｂ  内径
５２ａ  空洞部
６４  注入孔
Ｍ  身体
Ｐ  ペニス
Ｓ  恥骨
Ｔ  陰嚢
【図１】
2017060645.tif 000003
【図２】
2017060645.tif 000004
【図３】
2017060645.tif 000005
【図４】
2017060645.tif 000006
【図５】
2017060645.tif 000007
【図６】
2017060645.tif 000008
【図７】
2017060645.tif 000009
【図８】
2017060645.tif 000010
【図９】
2017060645.tif 000011
【図１０】
2017060645.tif 000012
【図１１】
2017060645.tif 000013
【図１２】
2017060645.tif 000014
【図１３】
2017060645.tif 000015
【図１４】
2017060645.tif 000016